(57)【要約】【課題】ハウジングに対する端子の逆挿入を効果的に規制するとともに、小型化を図り得るコネクタを提供する。【解決手段】端子金具６０は、本体部６１の一面に配置され、正規挿入姿勢をとる場合は、ガイド溝２３に進入する一方、正規挿入姿勢と反対の逆挿入姿勢をとる場合は、当て面２４Ｂに当たり挿入を規制するスタビライザ６５を有している。端子金具６０は、本体部６１の一面と反対側となる他面で、且つスタビライザ６５と前後方向で重なる位置に配置され、逆挿入姿勢をとってスタビライザ６５が当て面２４Ｂと当たった状態で、対向するキャビティ２１の上壁面２７に当接可能なガタ詰め突部６６を有している。【選択図】図１０
2020072050.tif 000002
【特許請求の範囲】
【請求項１】
ハウジングと、前記ハウジングに収容される端子金具と、を備え、
前記ハウジングは、
前後方向に延び、前記端子金具が挿入されるキャビティと、
前記キャビティに連通して前後方向に延びるガイド溝と、
前記ガイド溝とは反対側に位置して、前記キャビティの内面に形成される段付き状の当て面と、
を有し、
前記端子金具は、
本体部の一面に配置され、正規挿入姿勢をとる場合は、前記ガイド溝に進入する一方、前記正規挿入姿勢と反対の逆挿入姿勢をとる場合は、前記当て面に当たり挿入を規制するスタビライザと、
前記本体部の一面と反対側となる他面で、且つ前記スタビライザと前後方向で重なる位置に配置され、前記逆挿入姿勢をとって前記スタビライザが前記当て面と当たった状態で、対向する前記キャビティの壁面に当接可能なガタ詰め突部と、
を有することを特徴とするコネクタ。
【請求項２】
前記端子金具は、前記本体部の他面において、前記ガタ詰め突部よりも前方に間隔を置いて配置され、前記逆挿入姿勢をとって前記スタビライザが前記当て面に当たった状態で、対向する前記キャビティの壁面に当接可能な第２ガタ詰め突部を有することを特徴とする請求項１に記載のコネクタ。
【請求項３】
前記ハウジングは、前記キャビティに撓み可能に突出して前記端子金具を抜け止め係止するランスを有し、
前記第２ガタ詰め突部は、前記正規挿入姿勢をとる場合に、前記ランスに抜け止め係止可能であることを特徴とする請求項２に記載のコネクタ。
【請求項４】
前記ハウジングは、前記端子金具が前記逆挿入姿勢をとる場合に、前記端子金具の前端に当接可能な第２当て面を有することを特徴とする請求項１から請求項３のいずれか一項に記載のコネクタ。
【発明の詳細な説明】
【技術分野】
【０００１】
本発明は、コネクタに関するものである。
【背景技術】
【０００２】
特許文献１のコネクタは、雌端子金具と、雌端子金具を収容するハウジングと、を備えている。ハウジングは、端子収容孔と、端子収容孔に挿入された雌端子金具を抜け止めする端子係止ランスと、雌端子金具の挿入方向に沿って延設された端子係止溝と、を有している。雌端子金具は、端子係止溝に係合することで雌端子金具の挿入方向と直交する方向への移動を規制するガタ止め用突起を有している。このコネクタは、雌端子金具が逆挿入姿勢（上下逆の姿勢）で端子収容孔に挿入された場合に、ガタ止め用突起が端子係止溝に入らず、端子収容孔における端子係止溝よりも幅狭に形成された壁部に当接することでそれ以上の挿入が規制される。
【先行技術文献】
【特許文献】
【０００３】
【特許文献１】特開２０１４−２１６２５６号公報
【発明の概要】
【発明が解決しようとする課題】
【０００４】
特許文献１のコネクタは、雌端子金具の上面に端子係止ランスが設けられることに加え、左右の各側面にそれぞれガタ止め用突起が設けられる構成である。そのため、このコネクタは、雌端子金具の挿入方向に直交する方向のサイズが大きくなり、ひいてはコネクタが大型化することになる。また、このコネクタは、雌端子金具が逆挿入姿勢をとる場合に、ガタ止め用突起が端子収容孔の側方の壁部に当接する構成であるため、ガタ止め用突起が端子収容孔の壁部に当接した状態で、例えば雌端子金具が上下方向に傾く虞がある。この場合、雌端子金具は、逆挿入姿勢が安定せず、逆挿入の防止が安定して行われなくなってしまう。したがって、端子金具の逆挿入防止を安定して行うとともに、小型化を図り得るコネクタが求められている。
【０００５】
本発明は上記のような事情に基づいて完成されたものであって、ハウジングに対する端子の逆挿入を効果的に規制するとともに、小型化を図り得るコネクタを提供することを解決すべき課題としている。
【課題を解決するための手段】
【０００６】
本発明のコネクタは、
ハウジングと、前記ハウジングに収容される端子金具と、を備え、
前記ハウジングは、
前後方向に延び、前記端子金具が挿入されるキャビティと、
前記キャビティに連通して前後方向に延びるガイド溝と、
前記ガイド溝とは反対側に位置して、前記キャビティの内面に形成される段付き状の当て面と、
を有し、
前記端子金具は、
本体部の一面に配置され、正規挿入姿勢をとる場合は、前記ガイド溝に進入する一方、前記正規挿入姿勢と反対の逆挿入姿勢をとる場合は、前記当て面に当たり挿入を規制するスタビライザと、
前記本体部の一面と反対側となる他面で、且つ前記スタビライザと前後方向で重なる位置に配置され、前記逆挿入姿勢をとって前記スタビライザが前記当て面と当たった状態で、対向する前記キャビティの壁面に当接可能なガタ詰め突部と、
を有することを特徴とする。
【発明の効果】
【０００７】
端子金具が逆挿入姿勢をとる場合に、スタビライザが当て面に当たり挿入を規制する。また、端子金具が逆挿入姿勢をとってスタビライザが当て面と当たった状態で、本体部の一面と反対側となる他面で、且つスタビライザと前後方向で重なる位置に配置されるガタ詰め突部が、対向するキャビティの壁面に当接可能となる。このようなガタ詰め突部は、キャビティの壁面に当接することで、キャビティ内で端子金具が前後方向に対して傾かないように作用する。そのため、スタビライザが当て面に当たった状態を維持することができ、端子金具の逆挿入を効果的に規制することができる。また、ガタ詰め突部は、スタビライザが配置される本体部の一面とは反対側となる他面に配置されるため、端子金具の本体部において、ガタ詰め突部及びスタビライザが配置される面とは異なる面に逆挿入を防止する部分を設ける必要がなく、前後方向に直交する方向のサイズの増大を防ぐことができる。したがって、コネクタは、ハウジングに対する端子金具の逆挿入を効果的に規制するとともに、小型化を図ることができる。
【図面の簡単な説明】
【０００８】
【図１】実施例１のコネクタを正面側の斜め上方から見た斜視図
【図２】ハウジングにおけるキャビティ部分の背面図
【図３】コネクタの側断面図
【図４】端子金具の右側面図
【図５】端子金具の左側面図
【図６】端子金具の底面図
【図７】端子金具の正面図
【図８】端子金具の背面図
【図９】端子金具がキャビティに正規挿入姿勢で組み付けられた状態を示す右側から見た側断面図
【図１０】端子金具がキャビティに逆挿入姿勢で挿入された状態を示す右側から見た側断面図
【発明を実施するための形態】
【０００９】
本発明は、前記端子金具は、前記本体部の他面において、前記ガタ詰め突部よりも前方に間隔を置いて配置され、前記逆挿入姿勢をとって前記スタビライザが前記当て面に当たった状態で、対向する前記キャビティの壁面に当接可能な第２ガタ詰め突部を有してもよい。
このような構成によれば、端子金具は、前後方向の異なる位置でガタ詰め突部と第２ガタ詰め突部によって、キャビティの壁面に当接可能となる。そのため、端子金具は、キャビティ内で前後方向に対してより一層傾かないようにすることができる。これにより、スタビライザが当て面に当たった状態を確実に維持することができ、端子金具の逆挿入をより一層効果的に規制することができる。
【００１０】
本発明は、前記ハウジングが、前記キャビティに撓み可能に突出して前記端子金具を抜け止め係止するランスを有し、前記第２ガタ詰め突部は、前記正規挿入姿勢をとる場合に、前記ランスに抜け止め係止可能であってもよい。
このような構成によれば、第２ガタ詰め突部は、端子金具の逆挿入を効果的に規制する機能と、端子金具の抜け止めを防止する機能と、を兼ね備えることになる。そのため、コネクタは、このような各機能を別々の機構によって発揮させるような場合に比べて、構成を簡略化することができる。
【００１１】
本発明は、前記ハウジングが、前記端子金具が前記逆挿入姿勢をとる場合に、前記端子金具の前端に当接可能な第２当て面を有してもよい。
このような構成によれば、端子金具が逆挿入姿勢をとる場合に、第２当て面が端子金具の前端に当接可能になるため、第２当て面によって端子金具の前方への移動を規制することができる。そのため、コネクタは、当て面と第２当て面とによって、端子金具の逆挿入姿勢での挿入を確実に防ぐことができる。
【００１２】
＜実施例１＞
以下、本発明を具体化した実施例１を図１〜図１０を参照して説明する。尚、以下の説明において、前後の方向については、図３，４，６，９，１０における左方を前方、右方を後方と定義する。上下の方向については、図３，４，５，９，１０の各図の上下方向を基準とする。左右の方向については、図３，４，９，１０における紙面奥側を左側、紙面手前側を右側と定義する。
【００１３】
図１に示す本実施例１のコネクタ１０は、自動車のワイヤーハーネスを構成する接続部材である。コネクタ１０は、図９に示すように、ハウジング２０と、ハウジング２０に収容される端子金具６０と、を備えている。
【００１４】
ハウジング２０は、合成樹脂製であり、いわゆる雌型のハウジングである。ハウジング２０には、図１に示すように、弾性的に撓んで相手側コネクタに係止するロックアーム１１が形成されている。ハウジング２０は、図３に示すように、ハウジング本体３０と、フロントマスク４０と、リテーナ５０と、を備えている。リテーナ５０は、後述するリテーナ嵌合溝２２に嵌め込まれることによって、ハウジング本体３０に組み付けられる。フロントマスク４０は、前後方向に厚みを有する平板状をなしており、ハウジング本体３０の前端を覆うようにしてハウジング本体３０に組み付けられる。
【００１５】
ハウジング本体３０は、図３に示すように、複数のキャビティ２１と、リテーナ嵌合溝２２と、ガイド溝２３と、閉塞面２３Ａと、段部２４と、進入溝２４Ａと、当て面２４Ｂと、ランス２５と、第２当て面２６Ａと、を有している。キャビティ２１は、端子金具６０が挿入可能である。キャビティ２１は、ハウジング２０を前後方向に貫通した形態である。複数のキャビティ２１は、図１に示すように、上下方向には３段に分けて設けられ、左右方向に整列されている。リテーナ嵌合溝２２は、図３に示すように、ハウジング本体３０の前後方向の前側寄りの位置において、下方に開口している。リテーナ嵌合溝２２は、キャビティ２１に交差するように、上下方向に延びている。
【００１６】
ガイド溝２３は、図２，３に示すように、キャビティ２１の上側面部分の左右方向中間領域において、キャビティ２１に連通して前後方向に延びている。ガイド溝２３は、後述する端子金具６０のスタビライザ６５の外形形状に対応した断面略扁平台状を呈し、後端が誘い込み部２１Ａに切欠状に開口している。ガイド溝２３の前端は、リテーナ嵌合溝２２よりも僅かに前側の位置で、閉塞面２３Ａによって閉じられている。ハウジング本体３０には、図２に示すように、ガイド溝２３に対して左右両側に連なるように、一対の上壁面（対向するキャビティ２１の壁面）２７が形成されている。
【００１７】
段部２４は、図３に示すように、キャビティ２１の下面において、キャビティ２１の後面から前方に離れた位置で、かつ、リテーナ嵌合溝２２の後方の位置に形成されている。段部２４は、前後方向で高さがずれる段差部分である。進入溝２４Ａは、図２，３に示すように、段部２４の幅方向中央部において、後面に開口する形態である。進入溝２４Ａは、後述する端子金具６０のスタビライザ６５の外形形状に対応した断面略扁平台状を呈している。当て面２４Ｂは、進入溝２４Ａの前端を閉じている。
【００１８】
ランス２５は、キャビティ２１に撓み可能に突出して後述する端子金具６０を抜け止め係止する。ランス２５は、図３に示すように、キャビティ２１を構成する下壁部において、前方へ片持ち状に延出した形態である。ランス２５は、キャビティ２１から退避する方向（下方）への弾性撓みが可能となっている。
【００１９】
ランス２５の付け根部分の幅方向一側に、図２，３に示すように、肉盛り部２６が形成されている。肉盛り部２６は、背面視において、他側の面が左方向へ向けて直線状に傾斜し、上面が左右方向に沿って配置される形状を呈している。肉盛り部２６の後面に、第２当て面２６Ａが形成されている。第２当て面２６Ａは、図３に示すように、後方に向かうにつれて高位置となる逆テーパ状になっている。
【００２０】
フロントマスク４０には、図３に示すように、キャビティ２１に連通する収容凹部４１が形成されている。リテーナ５０には、後述する端子金具６０の開口部６４に入り込む突部５１が形成されている。
【００２１】
端子金具６０は、図４〜８に示すように、いわゆる雌型の端子金具である。端子金具６０は、導電性の金属板を所定形状に打ち抜いた後、曲げ加工などして一体に成形されている。端子金具６０は、全体として前後方向に細長い形態とされ、本体部６１と、本体部６１の後方に位置するワイヤバレル部６２と、ワイヤバレル部６２の後方に位置するインシュレーションバレル部６３と、を有している。ワイヤバレル部６２及びインシュレーションバレル部６３は、それぞれ、オープンバレル状をなし、図６に示すように、電線７０の端末部における被覆部７１及び被覆部７１が除去されて露出する芯線部７２に圧着により接続される。ワイヤバレル部６２の前端側には、下側部分の壁が除かれた形態の開口部６４が形成されている。
【００２２】
本体部６１は、図７，８に示すように、角筒状をなし、底板部６１Ａと、一対の側板部６１Ｂ，６１Ｃと、天板部６１Ｄと、を有している。底板部６１Ａは、内外（上下）の板材を二枚重ねして構成されている。本体部６１は、図７，８に示すように、内側に、弾性接触片６１Ｅと、受け部６１Ｆと、を有している。弾性接触片６１Ｅは、底板部６１Ａから突出する舌片部分を後方へ折り返してなる形態であり、撓み変形可能である。受け部６１Ｆは、底板部６１Ａ側へ凹むように膨出する形態である。受け部６１Ｆは、弾性接触片６１Ｅと対向して配置され、弾性接触片６１Ｅとの間に、図示しない相手端子金具の雄タブが挿入される。雄タブが弾性接触片６１Ｅと受け部６１Ｆとに接触することで、両端子金具が電気的に接続されるようになっている。
【００２３】
天板部６１Ｄは、図４，５，７，８に示すように、後端部分の左右中間領域において、幅方向に切り込みを入れて内側からプレスで叩くことで、上方へ膨出させた形態のスタビライザ６５が形成されている。スタビライザ６５は、図７に示すように、正面視において、幅方向に略台形に連なる形状であり、上部から左右両側にかけて曲線状に連なる外形形状を呈している。スタビライザ６５は、図４，５に示すように、側面視において、前面が上下方向に沿って配置され、後面が後方へ向けて直線状に傾斜し、上面が前後方向に沿って配置される形状を呈している。
【００２４】
側板部６１Ｂ，６１Ｃの後端部は、図８に示すように、それぞれ他の部分よりも下方へ延出する延出側壁６１Ｈ，６１Ｊとして構成されている。延出側壁６１Ｈ，６１Ｊは、両壁間が下方へ向かって拡幅となるように配されている。底板部６１Ａの二枚重ね部分の後端部は、延出側壁６１Ｈ，６１Ｊを介することで、他の二枚重ね部分よりも下方に配された二重壁部６１Ｋになっている。二重壁部６１Ｋは、他の二枚重ね部分よりも幅広になっている。延出側壁６１Ｈ，６１Ｊと二重壁部６１Ｋによって、ガタ詰め突部６６が構成されている。
【００２５】
ガタ詰め突部６６は、図４，５に示すように、本体部６１におけるスタビライザ６５が設けられる面とは反対側の面で、且つスタビライザ６５と前後方向で重なる位置に配置されている。ガタ詰め突部６６は、本体部６１において、スタビライザ６５と前後方向で同じ範囲に形成されている。ガタ詰め突部６６は、図６に示すように、前方に向かうにつれて高位置となるように傾斜し、叩いて形成されたテーパ部６６Ａを有している。
【００２６】
底板部６１Ａは、図４〜６に示すように、本体部６１の前端部寄りの位置に、下側部分の壁を有さない形態の開口部６８が形成されている。第２ガタ詰め突部６７は、開口部６８の前端を区画している。第２ガタ詰め突部６７は、外側にプレスして下方に突出する凸状に形成されている。第２ガタ詰め突部６７は、ガタ詰め突部６６よりも前方に間隔を置いて配置されている。第２ガタ詰め突部６７は、図４，５に示すように、側面視において、前面が前方へ向けて直線状に傾斜し、後面が上下方向に沿って配置され、上面が前後方向に沿って配置される形状を呈している。第２ガタ詰め突部６７は、図６，７に示すように、前面の左側が左方向に向かうにつれて高位置となるように傾斜している。
【００２７】
次に、本実施例１の作用効果を説明する。
まず、ハウジング２０に対して端子金具６０が正規挿入姿勢で組み付けられる場合について説明する。ハウジング２０に対する端子金具６０の組み付けに際し、図３に示すように、リテーナ５０がハウジング本体３０に対して仮係止位置に保持される。その状態で、図９に示すように、端子金具６０は、正規挿入姿勢でハウジング本体３０のキャビティ２１に後方から挿入される。端子金具６０がキャビティ２１に挿入される過程では、スタビライザ６５がガイド溝２３に進入して端子金具６０の挿入動作が案内される。端子金具６０がキャビティ２１に挿入される過程の終盤において、第２ガタ詰め突部６７がランス２５と干渉し、ランス２５がキャビティ２１から退避する方向（下方）に撓み変形させられる。
【００２８】
端子金具６０がキャビティ２１に正規に挿入されると、図９に示すように、端子金具６０の前端６１Ｇが収容凹部４１の前端（底部）に当て止めされるとともに、ランス２５が弾性的に復帰して第２ガタ詰め突部６７の後端に係止可能に配置される。ランス２５が第２ガタ詰め突部６７に係止（一次係止）されることで、端子金具６０のキャビティ２１から後方への抜け出しが規制される。ランス２５は、開口部６８に臨むことで底板部６１Ａとの干渉を回避した状態に保たれる。
【００２９】
端子金具６０がキャビティ２１に正規に挿入されると、図９に示すように、スタビライザ６５は、閉塞面２３Ａに近接する。ガタ詰め突部６６は、第２当て面２６Ａに近接する。
【００３０】
続いて、リテーナ５０は、図９に示すように、本係止位置側となる上方へ向けて押し込まれる。リテーナ５０の突部５１は、開口部６４に入り込み、端子金具６０に係止（二次係止）する。リテーナ５０は、ガタ詰め突部６６の後端に係止可能に配置される。このようにして、端子金具６０は、正規挿入姿勢で、ハウジング２０に収容される。
【００３１】
次に、ハウジング２０に対して端子金具６０が、正規挿入姿勢と上下反対の逆規挿入姿勢で組み付けられようとする場合について説明する。リテーナ５０がハウジング本体３０に対して仮係止位置に保持された状態で、端子金具６０は、図１０に示すように、逆規挿入姿勢でハウジング本体３０のキャビティ２１に後方から挿入される。端子金具６０がキャビティ２１に挿入される過程では、スタビライザ６５が進入溝２４Ａに進入する。
【００３２】
図１０に示すように、端子金具６０がキャビティ２１の前端部寄りの位置（規制位置）まで挿入されると、端子金具６０の前端６１Ｇが第２当て面２６Ａに当て止めされ、ほぼ同時に、スタビライザ６５が当て面２４Ｂに当て止めされる。これにより、スタビライザ６５は、端子金具６０のさらなる挿入を規制する。このように、端子金具６０は、当て面２４Ｂとともに第２当て面２６Ａによって前方への移動が規制される。そのため、端子金具６０の逆挿入姿勢での挿入を確実に防ぐことができる。
【００３３】
ガタ詰め突部６６は、図１０に示すように、端子金具６０が逆挿入姿勢をとってスタビライザ６５が当て面２４Ｂと当たった状態で、対向するキャビティ２１の壁面（一対の上壁面２７の下面）に当接可能になる。ガタ詰め突部６６は、一対の上壁面２７に、前後方向に沿って面当たりで当接形態となることで、キャビティ２１内で端子金具６０が前後方向に対して傾かないように作用する。そのため、スタビライザ６５が当て面２４Ｂに当たった状態を維持することができ、端子金具６０の逆挿入を効果的に規制することができる。また、ガタ詰め突部６６は、スタビライザ６５が配置される本体部６１の一面とは反対側となる他面に配置されるため、端子金具６０の本体部６１において、ガタ詰め突部６６及びスタビライザ６５が配置される面とは異なる面に逆挿入を防止する部分を設ける必要がなく、前後方向に直交する方向のサイズの増大を防ぐことができる。したがって、コネクタ１０は、ハウジング２０に対する端子金具６０の逆挿入を効果的に規制するとともに、小型化を図ることができる。
【００３４】
第２ガタ詰め突部６７は、図１０に示すように、ガタ詰め突部６６よりも前方において、対向するキャビティ２１の壁面（左側の上壁面２７）に当接可能になる。そのため、端子金具６０は、キャビティ２１内で前後方向に対してより一層傾かないようにすることができる。これにより、端子金具６０の前端６１Ｇがキャビティ２１の下面に当たっている場合に、その状態を確実に維持することができ、端子金具６０の逆挿入をより一層効果的に規制することができる。第２ガタ詰め突部６７は、端子金具６０の逆挿入を効果的に規制する機能と、端子金具６０の抜け止めを防止する機能と、を兼ね備えることになる。そのため、コネクタ１０は、このような各機能を別々の機構によって発揮させるような場合に比べて、構成を簡略化することができる。
【００３５】
本実施例１のコネクタ１０は、端子金具６０が逆挿入姿勢をとる場合に、スタビライザ６５が当て面２４Ｂに当たり挿入を規制する。また、端子金具６０が逆挿入姿勢をとってスタビライザ６５が当て面２４Ｂと当たった状態で、本体部６１の一面と反対側となる他面で、且つスタビライザ６５と前後方向で重なる位置に配置されるガタ詰め突部６６が、対向するキャビティ２１の壁面（一対の上壁面２７）に当接可能となる。このようなガタ詰め突部６６は、一対の上壁面２７に当接することで、キャビティ２１内で端子金具６０が前後方向に対して傾かないように作用する。そのため、スタビライザ６５が当て面２４Ｂに当たった状態を維持することができ、端子金具６０の逆挿入を効果的に規制することができる。また、ガタ詰め突部６６は、スタビライザ６５が配置される本体部６１の一面とは反対側となる他面に配置されるため、端子金具６０の本体部６１において、ガタ詰め突部６６及びスタビライザ６５が配置される面とは異なる面に逆挿入を防止する部分を設ける必要がなく、前後方向に直交する方向のサイズの増大を防ぐことができる。したがって、コネクタ１０は、ハウジング２０に対する端子金具６０の逆挿入を効果的に規制するとともに、小型化を図ることができる。
【００３６】
また、端子金具６０は、本体部６１の他面において、ガタ詰め突部６６よりも前方に間隔を置いて配置され、逆挿入姿勢をとってスタビライザ６５が当て面２４Ｂに当たった状態で、対向するキャビティ２１の上壁面２７に当接可能な第２ガタ詰め突部６７を有している。
これによれば、端子金具６０は、前後方向の異なる位置でガタ詰め突部６６と第２ガタ詰め突部６７によって、キャビティ２１の壁面（上壁面２７）に当接可能となる。そのため、端子金具６０は、キャビティ２１内で前後方向に対してより一層傾かないようにすることができる。これにより、スタビライザ６５が当て面２４Ｂに当たった状態を確実に維持することができ、端子金具６０の逆挿入をより一層効果的に規制することができる。
【００３７】
また、ハウジング２０は、キャビティ２１に撓み可能に突出して端子金具６０を抜け止め係止するランス２５を有している。第２ガタ詰め突部６７は、正規挿入姿勢をとる場合に、ランス２５に抜け止め係止可能である。
これによれば、第２ガタ詰め突部６７は、端子金具６０の逆挿入を効果的に規制する機能と、端子金具６０の抜け止めを防止する機能と、を兼ね備えることになる。そのため、コネクタ１０は、このような各機能を別々の機構によって発揮させるような場合に比べて、構成を簡略化することができる。
【００３８】
また、ハウジング２０は、端子金具６０が逆挿入姿勢をとる場合に、端子金具６０の前端６１Ｇに当接可能な第２当て面２６Ａを有する。
これによれば、端子金具６０が逆挿入姿勢をとる場合に、第２当て面２６Ａが端子金具６０の前端６１Ｇに当接可能になるため、第２当て面２６Ａによって端子金具６０の前方への移動を規制することができる。そのため、コネクタ１０は、端子金具６０の逆挿入姿勢での挿入を確実に防ぐことができる。
【００３９】
＜他の実施例＞
本発明は上記記述及び図面によって説明した実施例に限定されるものではなく、例えば次のような実施例も本発明の技術的範囲に含まれる。
（１）上記実施例において、閉塞面２３Ａは、キャビティ２１内において、リテーナ嵌合溝２２の前方に設けられていたが、前後方向でこれとは異なる位置に設けられていてもよい。同様に、当て面２４Ｂ及び第２当て面２６Ａも、前後方向で上記実施例と異なる位置に設けられていてもよい。
（２）上記実施例において、ハウジング２０は、フロントマスク４０を備えない構成であってもよい。この場合、キャビティ２１の前端で端子金具６０の抜け止めを行う構成にする。
（３）上記実施例では、複数のキャビティ２１が、上下方向には３段に分けて設けられ、左右方向に整列していたが、このような配置に限定されない。
（４）上記実施例において、端子金具は、本体部の前方にタブを突出された雄型の端子金具であってもよい。
【符号の説明】
【００４０】
１０…コネクタ
２０…ハウジング
２１…キャビティ
２３…ガイド溝
２４Ａ…進入溝
２４Ｂ…当て面
２５…ランス
２６Ａ…第２当て面
６０…端子金具
６１Ｇ…端子金具の前端
６５…スタビライザ
６６…ガタ詰め突部
６７…第２ガタ詰め突部
【図１】
2020072050.tif 000003
【図２】
2020072050.tif 000004
【図３】
2020072050.tif 000005
【図４】
2020072050.tif 000006
【図５】
2020072050.tif 000007
【図６】
2020072050.tif 000008
【図７】
2020072050.tif 000009
【図８】
2020072050.tif 000010
【図９】
2020072050.tif 000011
【図１０】
2020072050.tif 000012